Podtech/llm-jp-corpus-v4-ja_patent huggingface dataset:
(57)【要約】      （修正有）【課題】金箔の１万分の１ミリという薄さの特徴を強調できるうちわを提供する。【解決手段】箔１をラミネートフィルム２にはさみ、箔の薄さを体感させるとともに、任意の手に持ちやすく後の利用にも配慮した形のうちわとして利用するものに切り取る。これまで生活からは疎遠であった箔というマテリアルを日常に密着させる。【選択図】図１
0003135668.tif 000002
【実用新案登録請求の範囲】
【請求項１】
所定形状の２枚の透明なラミネートフィルム（２）の間に箔（１）が挟まれていることを特徴とする箔うちわ。
【請求項２】
箔（１）の両面に所定形状の図形を切り抜いて形成した開口を有する不透明シートが積層されており、前記箔を当該不透明シートの外形より小さくかつ前記開口より大きいサイズとした、請求項１記載の箔うちわ。
【考案の詳細な説明】
【技術分野】
【０００１】  この考案は、箔をラミネートコーティングし任意の形に切り、箔を装飾の主体としたうちわに関する。
【背景技術】
【０００２】  従来、箔は木や紙などの支持体（地）に箔押しをすることが多かった。
【考案の開示】
【考案が解決しようとする課題】
【０００３】  金沢箔は１万分の１ミリという薄さが特徴であるにも関わらず、支持体が有色不透明で厚みのある支持体に箔押ししていたため、箔の薄さを十分に伝えることができる用途が少なかった。
【課題を解決するための手段】
【０００４】  この考案の箔うちわは、所定形状の２枚の透明なラミネートフィルム２の間に箔１が挟まれていることを特徴とするものである。
この考案の箔うちわは、箔１をこれより大きなラミネートフィルム２にはさみ、ラミネートフィルム２を箔が納まるサイズの大きさで、任意の形に切り取ることにより、製作する。
箔１の両面に所定形状の図形を切り抜いて形成した開口（図案を表現する穴）５を有する紙などの不透明シート４を積層し、その際に箔１を当該不透明シートの外形より小さくかつ開口５より大きいサイズとし、これをラミネートフィルム２に挟むことにより、箔に星型、ハート型などの図案を付与することができる。
【考案の効果】
【０００５】  ラミネートフィルムという薄く無色透明なシートにはさむことで、箔の薄さを有効に提示できるとともに、箔の表面がフィルムで保護されるため、うちわとして屋外で扱うのに適している。加えて、屋外で太陽を光源として金箔を透かして眺めることができるため、透けるほどの薄さという特徴も的確に伝えることができる。
耐水性と耐久性に優れるラミネートフィルムで箔が挟まれているため、うちわとしてだけでなく、ハサミやカッターで自由な形で切断でき、コースターや下敷きなどの２次製品としても利用できる。
【考案を実施するための最良の形態】
【０００６】  以下、本考案を実施するための最良の形態について説明する。
箔（１）をラミネートフィルム（２）にはさむ。ここで使用するラミネートフィルム（２）は、ポリエステルでできた２枚の薄いフィルムを貼り合せる積層フィルムで、２枚のフィルムが重なった時の厚さは１００〜１５０ミクロン厚、Ｂ４サイズのパウチ式フィルムを使用する。
箔（１）をはさむ時、場合によっては箔を星などの図案の穴が開けられた紙を両面からはさみ込み、そのままラミネートする。通常は直接箔を切り取り図案を作ることは困難だが、こうすることで簡単に箔で図案を表現することができる。
うちわの構造として、通常のうちわにあるような骨組みは金箔を光に透かして見る際に邪魔にならないよう省き、１枚のシート状とする。さらに、うちわとして使用した後はハサミやカッターで自由な形に切断し、コースターなどの２次製品として使用可能なものにするため、柄などの持ち部も省く。ただし、うちわとして使用する際の持ちやすさと手に掛かることの心理的な安心感を与えるために、丸みを帯びた持ち手（３）となるような突起物を用意する。
【図面の簡単な説明】
【０００７】
【図１】第１実施例のうちわの上面図である。
【図２】第１実施例のうちわの断面図である。
【図３】第２実施例の分解斜視図である。
【図４】第２実施例の上面図である。
【符号の説明】
【０００８】    １  箔
２  ラミネートフィルム
３  持ち手
４  不透明シート
５  所定形状の図形を切り抜いて形成した開口（図案を表現する穴）
【図１】
0003135668.tif 000003
【図２】
0003135668.tif 000004
【図３】
0003135668.tif 000005
【図４】
0003135668.tif 000006
(57)【要約】      （修正有）【課題】ノズルにスケールが詰まるのを予防し、消臭し、洗浄効果を高める。【解決の手段】電極を持つ物質を含むセラミックスペレットを入れた容器を洗浄便座の貯水槽にセットするか、同ペレットをセットした流動層を洗浄便座のノズルの一次側に設置側するか、或は洗浄便座の貯水槽にセラミックスペレットは流失しないようにして直接セットする。【選択図】図１
0003135661.tif 000002
【実用新案登録請求の範囲】
【請求項１】
貯水タンク付き洗浄便座の貯水タンク内に通水性の有る金属・陶器又は樹脂容器の中に電極を有する物質を含むセラミックスペレットを充填した水質改善装置。
【請求項２】
貯水タンクを有しない洗浄便座の洗浄水の一次側に装着する、電極を有する物質を含むセラミックスペレットを充填した金属・陶器または樹脂製の流動層型の水質改善装置。
【考案の詳細な説明】
【技術分野】
【０００１】  本考案は洗浄便座の水質改善装置に関する。
【技術背景】
【０００２】  洗浄便座のノズルのスケールによる詰まり防止の積極的対策がない。
【０００３】  洗浄便座は温水を使用する為、温度差や水分の蒸発によるスケールの発生が著しい。
【０００４】  まったスケールの除去には、化学薬品を用いる方法と、ブラシ等を用いる方法が有るが十分でない。
【０００５】  洗浄便座の消臭は従来、吸着剤を用いるかオゾン発生器を用いるものである。
【０００６】  洗浄便座の洗浄力は水圧あるいはノズルの工夫によるもので、水そのものの洗浄力を改めたものでは無い。
【考案の開示】
【考案が解決しようとする課題】
【０００７】  解決しようとする問題点は、洗浄便座のノズル詰まりの予防策はノズルから噴出する温水を使用洗浄する方法がとられるが十分で無い点である。詰まってしまったとき、または詰まりそうなときブラシや布で擦るしか方法がなく厄介である。【０００８】  洗浄便座に付属する消臭装置のオゾン発生器は電力を必要とし、吸着剤方式は廃棄物を生じる点。【０００９】  従来の洗浄便座には水そのものの洗浄力を向上させると言う発想の物が無い。
【課題が解決す為の手段】
【００１０】  本考案は、（１）水或いは温水の酸化還元電位を低下させ、水又は温水の表面張力を弱める働きの有るセラミックスペレットを通水性の有る金属・陶磁器又は樹脂製の容器に適当量入れたもの。（２）金属・陶磁器又は樹脂製の流動層に（１）で用いたセラミックスペレットを適当量充填したもの。（３）（２）の流動層のペレット間に金属粒又は金属球あるいは陶磁器粒または陶磁器球を混ぜたもの、を要旨とするものである。
【考案の効果】
【００１１】  本考案は、水或いは温水の酸化還元電位を低下させ、水又は温水の表面張力を弱める働きの有るセラミックスペレットを樹脂又は金属製の通水性の有る容器（図−１）又は流動層（図−２）に入れ、ノズルから噴出する水又は温水に接触させてかノズルを通過させることにより、化学薬品・ブラシ或いは電力などのエネルギーを用いずノズルへのスケール付着の防止を実現できる。
【００１２】  （００１１）と同様の方法により消臭機能を持たせる・
【００１３】  （００１１）と同様の方法により水そのものの洗浄効果の向上を持たせる。
【考案を実施す為の最良の形態】
【００１４】  本考案を更に詳細に説明する。本考案の洗浄便座の水質改善装置のセラミックスペレッットは、耐水性及び耐衝撃性の素材によって構成されている。セラミックスペレットは水の酸化還元電位を低下させ、界面活性効果により水の表面張力を低下させスケールの付着を防止し、洗浄効果を高める作用を有するものである。
【００１５】  セラミックスペレットは電極を有し、水の酸化還元電位を低下させ、水の表面張力を減少させるものであれば特に限定されず使用できる。具体的なセラミックスの素材としてはトルマリンセラミックス或はガーネットセラミックスペレット等があげられる。
【００１６】  セラミックスペレットの素材は、人の皮膚に触れて問題のある物質を溶出しないものを用いる。
【００１７】  セラミックスペレットは、粒径が１〜１０ｍｍの球形のセラミックスが望ましい。粒径１ｍｍ以下ではコストが上昇し、１０ｍｍ以上では酸化還元電位を下げる効果、界面活性効果が低下する恐れがある。
【００１８】  セラミックスペレットは球形が望ましい。
【００１９】  セラミックスペレットの量は処理すべき水量により、０．１ｇ〜１０００ｇの範囲で加減する。０．１ｇ以下では効果が期待しにくく、又技術的にも困難である。一方、１０００ｇ以上ではコストが上昇し、経済的にメリットがない。
【００２０】  貯水槽を有する、洗浄便座ではセラミックスペレットが流出しない様にすれば、［００１１］の図−１の容器または図−２の流動層を用いず、直接貯水槽に入れても良い。
【００２１】  流動層ではセラミックスペレットに対し重量パーセント、０．１〜５０％の割合で金属球または陶磁器球を混入しても良い。金属球または陶磁器球を混入すると圧電効果に機能が向上する。金属球の材質はチタンが望ましい。金属球または陶磁器球の球径はセラミックスペレットと同じかやや大き目が望ましい。
【００２２】  スケール付着防止、洗浄力、消臭力が減退してきたら、セラミックスペレットを磨くか交換すればよい。
【００２３】  本考案の洗浄便座の水質改善装置は洗浄便座メーカーで予め洗浄便座に組み込むことも可能であり、又既に据付けられた洗浄便座に後付あるいは外付けも可能である。
【００２４】  本考案により面倒な洗浄ノズルの清掃の手間が大幅に軽減される。別途消臭装置を設置することなく消臭効果が得られる。洗浄しにくい形状のお尻でも、洗浄剤を使用することなく洗浄効果を向上できる。
【図面の簡単な説明】
【００２５】
【図１】本考案のセラミックスペレットの容器の説明図である。
【図２】本考案のセラミックスペレットをセットした流動層の説明図である。
【符号の説明】
【００２６】１１    容器１２    セラミックスペレット１３    水の動き１４    水面２１    一次側水口２２    水の流れ２３    セラミックスペレット２４    金属球２５    流動層本体
【図１】
0003135661.tif 000003
【図２】
0003135661.tif 000004
(57)【要約】【課題】  自分１人で、むらなく背中に薬を塗るにはどうしたらよいか。ベルトを使用し、最小量の薬を使用して、かゆみをなくする。【解決手段】  自分１人で、ベルトを上下、左右に動かして薬を塗り込むのが一番よい方法と思う。【選択図】図１
0003135662.tif 000002
【実用新案登録請求の範囲】
【請求項１】
身体の背面に自分で、薬を均一に塗るため、左右両手を使ってベルト（中央に薬の塗布部分を置く。）を上下、左右に動かすものである。
ベルトは繊維製で、中央に置く薬の塗布部分は両面使用の繊維布で、お互を繊維糸でくっつける。
【考案の詳細な説明】
【技術分野】
【０００１】  背面に自分１人で、塗布した薬をむらなく塗ろうとするにはベルトの利用が一番ではないか。ベルトを両手で上下、左右に動かし、一面の薬がなくなれば二面を使う。
【背景技術】
【０００２】  むらなく塗るには塗布部分の布の端がほぐれて単繊維がでてくると効果的である。
【考案の開示】
【考案が解決しようとする課題】  自分１人で背面に薬をむらなく塗る。
【課題を解決するための手段】  自分１人で薬をむらなく塗るためベルトを使用する。かゆみのなくなる薬の量は経験感に依存する。むらなく塗るにはベルトを上下、左右に動かす外に塗布部分の布の端がほぐれるものがよい。
【考案の効果】  皮ふの乾燥がなく、肌がなめらかになり、かゆみがなくなる。
【考案を実施するための最良の形態】  自分１人で、背中への薬の塗布はこのベルト式が一番よいのではないか。
【実施例】  現在このベルトを使用しているが、かゆみもなくよく帰納している。
【産業上の利用可能性】  医療に一番利用されると思う。１人でむらなく塗れるのがよいところです。
【図面の簡単な説明】  ベルトの長さは身長にもよるが１ｍ位、塗布部分は表、裏二面としベルト中央に置く。塗布部分は片面横５ｃｍ×縦２．５ｃｍ位。
図１、
【符号の説明】
【図１】
0003135662.tif 000003
【手続補正書】
【提出日】平成19年6月23日(2007.6.23)
【手続補正１】
【補正対象書類名】実用新案登録請求の範囲
【補正対象項目名】全文
【補正方法】変更
【補正の内容】
【実用新案登録請求の範囲】
【請求項１】
身体の背面に自分で薬を均一に塗るため、左右両手を使って上下、左右に動かすベルト、ベルトのまんなか位に薬を塗っておく布をベルトに糸で縫い合せる、これが塗布ベルト。
【手続補正２】
【補正対象書類名】明細書
【補正対象項目名】全文
【補正方法】変更
【補正の内容】
【考案の詳細な説明】
【技術分野】
【０００１】  背面に自分１人で、塗布した薬をむらなく塗ろうとするいは塗布ベルトの利用が一番ではないか。塗布ベルトを両手で上下、左右に動かし、一面の薬がなくなれば二面を使う。
【背景技術】
【０００２】  むらなく塗るには塗布部分の布の端がほぐれて単繊維がでてくると効果的である。
【考案の開示】
【考案が解決しようとする課題】
【０００３】  自分１人で背面に薬をむらなく塗る。
【課題を解決するための手段】
【０００４】  自分１人で薬をむらなく塗るため、塗布ベルトを使用する。かゆみのなくなる薬の量は経験感に依存する。むらなく塗るには塗布ベルトを上下、左右に動かす外に塗布部分の布の端がほぐれるものがよい。
【考案の効果】
【０００５】  皮ふの乾燥がなく、肌がなめらかになり、かゆみがなくなる。
【考案を実施するための最良の形態】
【０００６】  自分１人で、背中への薬の塗布は、この塗布ベルト式が一番よいのではないか。
【実施例】
【０００７】  現在この塗布ベルトを使用しているが、かゆみなくよく帰納している。
【産業上の利用可能性】
【０００８】  医療に一番利用されると思う。１人でむらなく塗れるのがよいところです。
【図面による説明】
【０００９】  塗布ベルトの長さは身長にもよるが１ｍ位、塗布部分は表、裏二面とし、塗布ベルト中央に置く。塗布部分は片面横５ｃｍ×縦２．５ｃｍ位。
【図面の簡単な説明】
【００１０】
【図１】は塗布ベルト図である。
0003135662.tif 000004
【符号の説明】
【００１１】
(57)【要約】      （修正有）【課題】配布物に対する注目度を上げ宣伝効率を高め、配布物が消費者の手により早期に廃棄されることを防ぎ、宣伝効果を持続させる。【解決手段】広告宣伝内容の記載されたカード１に紐輪２を付けた棒状の物体３を取りつけ、本体から取り外すことを目的とするパズル遊びの機能を持たせることで、ただの紙片に比べより強く消費者の興味をひきつけるほか、パズルの解答や正解者への特典を用意することで消費者の誘導・集客に貢献する。【選択図】図１
0003135614.tif 000002
【実用新案登録請求の範囲】
【請求項１】
広告・宣伝の記載された紙片又はシートに穴を開け、次に端に穴の開いた棒状の物体に紐またはチェーンを通し、紐の端が棒よりも多少短くなる位置で紐の両端を結び紐輪付き棒状の物体を作り、前述の紙片の穴にそれを取り付け、その紙片から外すことを目的とするパズル遊びの機能を持たせたパズル付き広告宣伝カード。
【考案の詳細な説明】
【技術分野】
【０００１】
本考案は、広告・宣伝を目的として配布されるカード状の媒体に関するものである。
【背景技術】
【０００２】
従来より不特定多数の消費者へ広告・宣伝を行う方法として、宣伝内容を記載したカード類を作成し、これを店頭や街頭にて直接配布したり、あるいは個人宛てに郵送するといった方法が従来より広く行われている。
【考案の開示】
【考案が解決しようとする課題】
【０００３】
上記の方法は単純かつ明快な宣伝方法として一般的に行われているが、それゆえに多くの消費者はこれらの広告宣伝用配布物を日々の生活で多数目にしている。したがって消費者はこれらの配布物に対し何らかの興味をひかれなければ、そもそもその配布物自体を手に取らないか、あるいは手に取ったとしてもあまり宣伝内容に目を通すことなくすぐに廃棄してしまう場合が多い。したがって上記の広告宣伝手法では、実際に配布される多量の配布物のうち宣伝効果を発揮する物は極一部であり、必ずしも効率的とはいえない面があった。
【０００４】
またこれら配布物は多くの場合ただの紙片であり、消費者がこれらを保有し続ける可能性は低く、したがって宣伝効果の持続性も低かった。
【０００５】
本考案は、これら配布物に対する注目度を上げ宣伝効率を高めること、及び配布物が早期に廃棄されることを防ぎ宣伝効果を持続させることを課題とする。
【課題を解決するための手段】
【０００６】
本考案は、広告宣伝内容の記載された紙片又はシートに、紐輪を付けた棒状の物体を取り付け、その取り外しを目的とするパズル遊びの機能を持たせた広告宣伝用カードである。
【考案の効果】
【０００７】
本考案による広告宣伝カードは、取り付けられた棒状の物体をある程度自由に動かすことができるため、この構造を利用して紐輪を付けた棒状の物体を紙片から取り外すというパズル遊びをすることができる。これによりただの紙片に比べより強く消費者の興味をひきつけることができ、また繰り返し遊ぶことができることから消費者がこのカード自体を長期にわたって保有し続けることも期待できる。さらに当該のパズルの解答またはヒントを別の媒体に掲示するなどして消費者を誘導したり、実店舗や展示場などにおいては正解の状態のパズルを持参した者に特典を用意するなどの方法で集客をはかることができる。
【考案を実施するための最良の形態】
【０００８】
図１に、本考案によるパズル付き広告宣伝用カードの全体図を示す。このカードは本体１・紐２と棒状の物体３の３種類の部品によって構成される。
【０００９】
本体１は広告宣伝内容及び付属するパズルの遊び方等を表示する部分であると同時に、それ自体がパズルを構成する部品の一つである。このため素材については紙・布・軟質樹脂のように折り曲がる特性を有したものでなければならず、紐２を手で引っ張った際に穴Ａが破断しない程度の強度を持つことが望まれる。また、穴Ａは棒状の物体３が通り抜けるのに十分な大きさがなければならない。
【００１０】
紐２はパズルを構成する部品の一つである。素材は特に制限はなく、金属の鎖等でもかまわない。ただし、棒状の物体３の穴を通し両端を留め、紐輪にした状態で、紐輪の先端Ｃが棒状の物体３の先端Ｄより長くなってはいけない。本体１への取り付け方は後述する。
【００１１】
棒状の物体３はパズルを構成する部品の一つであり、容易に変形しない素材である必要がある。この棒状の物体には紐２が通るための穴Ｂが片側の先端にあり、紐２により本体１の穴Ａに取り付けられている。この部分に広告宣伝内容の一部や図柄を表示することも可能である。
【００１２】
各部品の取り付け方は以下の通りである。ただしこれは一例であり、最終的な形態が同じであれば実際の製造方法はこの例による必要はない。
【００１３】
１．本体１の適当な場所に穴Ａを開口する。
２．紐２を二つ折りにし、その折り目部分を穴Ａに裏面から正面に向かって通す。
３．紐２の両端を本体１の外側から正面にまわし、紐２の穴Aから出ている部分（区間Ｈ）をくぐらせる。
４．紐２のどちらかの端を棒状の物体３の穴Ｂに通す。
５．紐２の両端を留める。
【００１４】
次にこの広告宣伝カードに付随するパズルの目的と解法について説明する。
【００１５】
このパズルは、初期状態にて棒状の物体３が紐２によって本体１の穴Ａに取り付いた状態から、棒状の物体３と紐２を両端の留めを外すことなく本体１から取り外すことを目的とする。その解法手順は以下の通りである。
【００１６】
１．区間Ｈのループに棒状の物体３を穴側の先端Ｅから通していく。
２．棒状の物体３の穴側の先端Ｅを本体１の穴Ａの裏側より通していく。
３．図２のように裏面が外側になるように、本体１の部分Ｆと部分ＧをＵ字に曲げていく。
４．図２のように紐２を本体１の裏面であるＵ字の外側にそって通していく。
５．紐２を本体１の辺Ｊまで移動させ、本体１から外す。
６．本体１の穴Ａより、棒状の物体３を抜く。
７．紐２と棒状の物体３は、本体１より外れる。
【００１７】
「実施形態の効果」
カードに付加するパズルの構造については他にもさまざまな形態・目的のものが考えられるが、その中で本考案の形態が優れている点として次のようなことが挙げられる。
【００１８】
・部品点数が少ない。
・各部品とも複雑又は精密な加工が要求されない。
・かさばらず、軽量にできる。
【００１９】
「他の実施形態」
本考案に付随するパズルは、本体１に対する紐２の取り付け方が表裏逆であっても成立する。この場合には前記の解法手順において本体１の表裏は逆転する。
【図面の簡単な説明】
【００２０】
【図１】本考案の初期状態を示した平面図である。
【図２】本考案の解法の過程の一部を示した斜視図である。
【図３】本考案に付随するパズルの目的となる状態を示した平面図である。
【符号の説明】
【００２１】
１  広告宣伝カード本体
２  紐
３  棒状の物体
４  正面側
５  広告等の表示
Ａ  本体１の穴
Ｂ  棒状の物体３の穴
Ｃ  紐２の両端を留めた状態での先端
Ｄ  棒状の物体３の先端
Ｅ  棒状の物体３の穴Ｂ側の先端
Ｆ  本体１の穴Ａより上側の部分
Ｇ  本体１の穴Ａより下側の部分
Ｈ  紐２のうち、初期状態において穴Ａから表側に出ている区間
Ｊ  本体１において紐２が取り付けられた反対側の辺
【図１】
0003135614.tif 000003
【図２】
0003135614.tif 000004
【図３】
0003135614.tif 000005
(57)【要約】      （修正有）【課題】ハサミの切断で切断後の切断物が、手、指、手動部等に接触し邪魔するために切断物を除けたりすることで切断の停止等を行わなければならない不都合の解消。【解決手段】ハサミ等の２刃頂点より少し内側で３刃最後尾付近より１ガイド部は始まり、切断するモノの面と同様の平衡状態を保ちながら湾曲させることで切断物が強制的にガイド部に添って４切断物の動きのようにハサミ等本体から分離し５手、指、手動部等に触れることなく切断できる。【選択図】図１
0003135656.tif 000002
【実用新案登録請求の範囲】
【請求項１】
ハサミ等によるモノの切断で切断されていく切断物を切断動作している手、指、手動部等に接触させないようにするために刃の最後尾付近と、その刃の頂点より少し内側から切断するモノの面と同様の平衡状態を保ちながら立ち上げたガイド部をハサミ等本体に付け加えたり、取り付けたりすることで切断物をガイド部に添わせてハサミ等本体から強制的に分離させることで動作を邪魔することなく切断できるハサミ等。
【考案の詳細な説明】
【技術分野】
【０００１】  本考案は、ハサミ等に関するモノの切断後の切断物の手、指、手動部等への接触を防ぐためのガイド部に関するものである。
【背景技術】
【０００２】  従来のハサミは、切断後の切断物が切断するモノの位置と同じレベルの高さにあった。
【考案の開示】
【考案が解決しようとする課題】
【０００３】  しかし、このままでは切断物は、手、指、手動部等に直接接触してしまい切断物を除けるために何度も切断を停止しなければならない不便さがあった。
【課題を解決するための手段】
【０００４】  そこでハサミ等の刃の最後尾付近と刃の頂点より少し内側から切断するモノの面と同様に平衡状態を保ちながら立ち上げたガイド部をハサミ等本体に付加したり（図２）、取り付けたり（図１）することで切断物を強制的にガイド部に添わせハサミ本体から分離するようにした。
【考案の効果】
【０００５】  よって、本考案のガイド部を設けたことで長さ、厚さ等にこだわらず手、指、手動部等に接することなく直線、曲線、角の切断が停止させることもなく切断することができた。
【考案を実施するための最良の形態】
【０００６】  図面で説明すると図１は、既存のハサミにガイド部を取り付けたもので（２）刃頂点より少し内側で（３）刃最後尾付近より（１）ガイド部は始まり、切断するモノの面と同様の平衡状態を保ちながら湾曲させており、切断物は（１）ガイド部の上面に添いながらハサミ本体から（４）切断物の動きのように離れて（５）手、指、手動部等には触れることなく切断することができ、図２は、ハサミ製作時に平面を含む湾曲面のガイド部を付加させたものである。
【図面の簡単な説明】
【０００７】
【図１】  既存のハサミにガイド部を取り付けた見取り図である。
【図２】  ハサミ製作時にガイド部を付加させた見取り図である。
【符号の説明】
１      ガイド部
２      刃頂点
３      刃最後尾
４      切断物の動き
５      手、指、手動部等
【図１】
0003135656.tif 000003
【図２】
0003135656.tif 000004
【手続補正書】
【提出日】平成19年6月20日(2007.6.20)
【手続補正１】
【補正対象書類名】実用新案登録請求の範囲
【補正対象項目名】請求項１
【補正方法】変更
【補正の内容】
【請求項１】
ハサミ等によるモノの切断で切断されていく切断物を切断動作している手、指、手動部等に接触させないようにするために刃の最後尾付近と、その刃の頂点より少し内側から切断するモノの面と同様の平衡状態を保ちながら立ち上げたガイド部をハサミ等本体に付け加えたり、取り付けたりすることで切断物をガイド部に添わせてハサミ等本体から強制的に分離させることで動作を邪魔することなく切断できるハサミ等の切断器具類。
(57)【要約】      （修正有）【課題】容易に操作し、かつ、その安定性を高める配水管を固定する装置を提供する。【解決手段】排水管を支持バンド９に固定するために、Ｖ字型とした基盤に直立する全ネジ２を、それぞれ、支持金具３の上端部４と下端部５のネジ穴６に通し、かつ、本体７に接合したバネ板８から傾斜して全ネジのネジ目に当て、排水管の位置を調節する。また、支持バンドの上挟部１１を透かしとし、下挟部１０に重ね合わせて、排水管を挟むことができる。【選択図】図１
0003135654.tif 000002
【実用新案登録請求の範囲】
【請求項１】
排水管を支持バンドに固定するために、Ｖ字型の基盤に直立する２本の全ネジを、それぞれ、上端部と下端部のネジ穴に通し、かつ、本体に接合したバネ板を傾斜して全ネジのネジ目に当てた、支持金具からなる装置
【請求項２】
透かしの上挟部を全開し、排水管を下挟部に納め、上挟部と下挟部をもって排水管を挟むことのことができる、支持バンドからなる装置
【考案の詳細な説明】
【技術分野】
【０００１】  この考案は、水道の排水管を容易にかつ安定して固定する支持バンドと支持金具の装置に関するものである。
【背景技術】
【０００２】  水道の排水管の位置に高低差（勾配）があれば、もちろん、水の流れがよくなる。そこで、排水管の位置を調節して固定する装置が必要となる。
従来、一辺の基盤に２本の全ネジを直立し、全ネジを排水管の支持バンド（フロアバンド）の端のネジ穴に通して、支持バンドで排水管を挟み、全ネジを通したナットを上下しながら締めつける装置が用いられていた。【０００３】  ところが、このような装置は、ナットを上下して締めるために、かなりの手作業を必要とするし、また、一辺の基盤であるために、倒れやすくなり、安定性を欠くことになる。
【考案の開示】
【考案が解決しようとする課題】
【０００４】  この考案が解決しようする問題点は、配水管を固定する装置について、これを容易に操作し、かつ、その安定性を高めることを目的とする。
【課題を解決するための手段】
【０００５】  この考案が解決する手段は、次の通りである。
（イ）排水管を挟む支持バンド（９）を固定するために、Ｖ字型の基盤（１）に直立する全ネジ（２）を、それぞれ、上端部（４）と下端部（５）のネジ穴（６）に通し、かつ、本体（７）に接合したバネ板（８）を傾斜して全ネジ（２）のネジ目に当てた、支持金具（３）である。
（ロ）全ネジ（２）を透過する透かし（１２）の上挟部（１１）を全開し、排水管を下挟部（１０）に納め、上挟部（１１）と下挟部（１０）をもって排水管を挟むことのできる支持バンド（９）である。
【考案の効果】
【０００６】  この考案の効果は、次の通りである。
（イ）支持金具（３）の両端のバネ板（８）を押すだけで、容易に排水管の支持バンド（９）を上下して調節することができるので、余り手作業がかからないことである。
（ロ）Ｖ字型の基盤（１）に直立する全ネジ（２）であるから、支持金具（３）及び支持バンド（９）は倒れ難くなり、安定性を高めることにもなる。
（ハ）支持バンド（９）の上挟部（１１）は透かし（１２）となっているので、全ネジ（２）にそって支持金具（３）を下げていっても、全ネジ（２）に妨げられずに、支持バンド（９）をもって排水管を挟むことができる。
【最良の実施例】
【０００７】  この考案の最良の実施例は、次の通りである。
（イ）排水管の位置を固定する装置としては、排水管の支持バンド（９）と支持金具（３）、また、全ネジ（２）と基盤（１）が必要となる。Ｖ字型の基盤（１）に全ネジ（２）２本を直立する。
（ロ）支持バンド（９）の上挟部（１１）を透かし（１２）とし、下挟部（１０）に重ね合わせて、排水管を挟み、この両端に支持金具（３）を結合する。
（ハ）支持金具（３）の上端部（４）と下端部（５）のネジ穴（６）に全ネジ（２）を通し、また、支持金具（３）の本体（７）から傾斜してネジ目に当てるバネ板（８）を押し、排水管の位置を調節する。
【実施例】
【０００８】  この考案の実施例は、次の通りである。
（イ）排水管の位置を固定するためには、基盤（１）を設置し、かつ、２本の全ネジ（２）を直立し、また、排水管を挟む支持バンド（９）に支持金具（３）を結合する装置が必要となる。
（ロ）この装置の安定性を求めて、広角を有するＶ字型の基盤（１）とする。双方の辺に全ネジ（２）を１本ずつ直立する。
（ハ）排水管を挟む支持バンド（９）の両端に支持金具（３）を結合する。支持金具（３）の上端部（４）と下端部（５）に開いたネジ穴（６）に、それぞれ、全ネジ（２）を通す。
（ニ）支持バンド（９）の透かし（１２）となった上挟部（１１）を、全ネジ（２）を透過して全開する。下挟部（１０）に排水管を納めて、上挟部（１１）と下挟部（１０）をもって排水管を挟み、その端をナット（１３）で締め付ける。
（ホ）支持金具（３）の本体（７）から斜め下方にネジ目に当たるようにバネ板（８）を設ける。両端のバネ板（８）を押しながら上下に動かすと、排水管の位置を調節することができる。
【図面の簡単な説明】
【０００９】
【図１】  本考案の装置を前面の上方からみた斜視図である。
【図２】  本考案の装置の支持バンドを全開した機能図である。
【符号の説明】
【００１０】  １    基盤
２    全ネジ
３    支持金具
４    上端部
５    下端部
６    ネジ穴
７    本体
８    バネ板
９    支持バンド
１０    下挟部
１１    上挟部
１２    透かし
１３    ナット
【図１】
0003135654.tif 000003
【図２】
0003135654.tif 000004
【手続補正書】
【提出日】平成19年6月12日(2007.6.12)
【手続補正１】
【補正対象書類名】実用新案登録請求の範囲
【補正対象項目名】請求項２
【補正方法】変更
【補正の内容】
【請求項２】
透かしの上挟部を全開し、排水管を下挟部に納め、上挟部と下挟部をもって排水管を挟むことのできる支持バンドを特徴とする請求項１項記載の装置。
(57)【要約】      （修正有）【課題】リップクリーム本体に携帯用ストラップが装着できるフックを設け、使いやすいように小型化することにより使用時の忘や紛失防止をする。【解決手段】リップクリーム本体のキャップ２ａにストラップ装着用のフックを設け、さらに携帯電話と装着することにより忘れ、紛失防止をする。またネジ型本体部２ｂの接合部分にネジ式を設け抜け落ちないようにした。【選択図】図２
0003135658.tif 000002
【実用新案登録請求の範囲】
【請求項１】
リップクリーム本体のキャップ部分に、携帯電話用ストラップが装着できるフックを設け、携帯ストラップとして使用できることが特徴のリップクリーム。
【請求項２】
携帯ストラップ用に、小型化しキャップ部分が抜け落ちないようにネジ式ストッパーを設けた。
【考案の詳細な説明】
【技術分野】
【０００１】  本考案は、携帯電話ストラップを装着したリップクリームに関するものである。
【背景技術】
【０００２】  リップクリームは以前から外出時に携帯用として多くの人達に使用されている。携帯電話も近年の急激な普及により必ず外出時の必要不可欠品となっている。
【考案の開示】
【考案が解決しようとする課題】
【０００３】  リップクリームは、外出時に多く使われる商品の為、忘れ・紛失の頻度が多くこれを解決しようとするものである。
【課題を解決するための手段】
【０００４】  リップクリームのキャップ部分に携帯ストラップが装着できるフックを設け小型化するとともに携帯にストラップとして装着できるようにすることにより問題を解決している。
【考案の効果】
【０００５】  上述の様に、本考案の携帯ストラップ型リップクリームは携帯電話に装着することにより、忘れ、紛失を防げる。
【考案を実施するための最良の形態】
【０００６】  携帯ストラップ型なので小型化し、キャップ部分が抜け落ちない様にネジ式ストッパーを設けた。
【実施例】
【０００７】  以下、添付図面に従って一実施例を説明する。図１の１は携帯ストラップ型リップクリーム全景、２はリップクリーム本体、３、４はストラップで５の携帯電話に装着した状態である。図２の６はクリームが出た状態で、２ａはフック型のキャップにストラップが装着した状態であり、２ｂの本体部分にネジ式により脱着できるようになっている。
【産業上の利用可能性】
【０００８】  既存商品の小型化とキャップ部分にストラップを装着できるフックを設けることにより多くの利用が可能になる。
【図面の簡単な説明】
【０００９】
【図１】本考案の携帯ストラップ型リップクリームの一実施例を示す使用図である。
【図２】本リップクリームの一部構造図である。
【符号の説明】
【００１０】  １    携帯用ストラップ型リップクリーム
２    リップクリーム本体
２ａ  フック付きキャップ
２ｂ  ネジ型本体部
２ｃ  クリーム押出つまみ
３    ストラップリップクリーム装着部
４    ストラップ携帯電話装着部
５    携帯電話
６    クリーム
【図１】
0003135658.tif 000003
【図２】
0003135658.tif 000004
【手続補正書】
【提出日】平成19年6月18日(2007.6.18)
【手続補正１】
【補正対象書類名】実用新案登録請求の範囲
【補正対象項目名】請求項２
【補正方法】変更
【補正の内容】
【請求項２】
携帯ストラップ用に、小型化しキャップ部分が抜け落ちないようにネジ付ストッパーを設けたことを特徴とする、請求項１に記載のリップクリーム。
(57)【要約】      （修正有）【課題】舗装されていない駐車場内の車間区画ラインの、見にくさ、劣化の不具合の解消等。【解決手段】棒状コンクリートに台形状のくぼみ１を入れることで足ができ、土中での支えとなり沈まず、内部上に鉄筋２を入れることで割れず、上面に白塗装３をすることで見やすく半永久的に長持ちする。これらを備える車間区画ライン１０によりこの課題を解決する。【選択図】図１
0003135638.tif 000002
【実用新案登録請求の範囲】
【請求項１】
0003135638.tif 000006
を入れ、この内部上に鉄筋を入れた車間区画ラインに関する。
【請求項２】
この車間区画ラインの上面に白塗装をする。
【考案の詳細な説明】
【技術の分野】
【０００１】  本考案は、舗装されていない駐車場に埋設する、車間区画ラインに関する。
【背景技術】
【０００２】  従来の舗装されていない駐車場の車間区画ラインはロープである。
【考案の開示】
【考案が解決しようとする課題】
【０００３】  しかし、これでは車の出入り時にロープに乗り、汚れたり、ロープが土中に埋まってしまい、見えにくく長持ちしない。
【課題を解決するための手段】
【０００４】
0003135638.tif 000003
支えができ埋もれることがなく、内部上に鉄筋を入れることで強度が増し、割れずに丈夫で長持ちをし、上面に白塗装することで見やすくなる。
【考案の効果】
【０００５】  よって、本考案の車間区画ラインにより、車の出入り時に乗っても沈むことがなく割れずに、雨が降っても見えやすく丈夫で半永久的に長持ちする。
【考案を実施するための最良の形態】
【０００６】
0003135638.tif 000004
イン１０は、図１に示すように両端が土中で支えとなる足になる。そしてその内部上に鉄筋２が埋め込まれて、その車間区画ライン上面には白塗装３が施されている。
【図面の簡単な説明】
【０００７】
【図１】  本考案にかかる車間区画ラインの図である。
【図２】  本考案にかかる車間区画ラインの断面図である。
【符号の説明】
【０００８】
0003135638.tif 000005
２            鉄筋
３            白塗装
１０          車間区画ライン
長さ    １５０ｃｍ
幅      ８ｃｍ
厚さ    ５ｃｍ
【図１】
0003135638.tif 000007
【図２】
0003135638.tif 000008
【手続補正書】
【提出日】平成19年4月23日(2007.4.23)
【手続補正１】
【補正対象書類名】実用新案登録請求の範囲
【補正対象項目名】全文
【補正方法】変更
【補正の内容】
【実用新案登録請求の範囲】
【請求項１】
舗装されていない駐車場に埋設する、棒状コンクリートに台形状のくぼみを入れ、その内部に鉄筋をいれたことを特徴とした車間区画ライン。
【請求項２】
この台形状のくぼみを入れた棒状コンクリートの上面に白塗装をした、車間区画ライン。
【手続補正２】
【補正対象書類名】明細書
【補正対象項目名】全文
【補正方法】変更
【補正の内容】
【考案の詳細な説明】
【０００１】  本考案は、舗装されていない駐車場に埋設する、車間区画ライン。
【０００４】  そこで、棒状コンクリートに台形状のくぼみを入れることにより、土中に支えができ、埋もれることがなく、内部に鉄筋を入れることで強度が増し、割れずに、丈夫で長持ちをし、上面に白塗装することで見やすくなる。
【０００６】  本考案にかかる棒状コンクリートに、台形状のくぼみ１を入れた車間区画ライン１０は、図１に示すように、両端が土中で支えとなる足になる。そしてその内部に鉄筋２が埋め込まれて、その車間区画ライン上面には白塗装３が施されている。
【０００８】  １          台形状のくぼみ
２          鉄筋
３          白塗装
１０        車間区画ライン
長さ      １５０ｃｍ
幅            ８ｃｍ
厚さ          ５ｃｍ
【手続補正書】
【提出日】平成19年7月17日(2007.7.17)
【手続補正１】
【補正対象書類名】手続補正書
【補正対象項目名】手続補正２
【補正方法】変更
【補正の内容】
【手続補正２】
【補正対象書類名】明細書
【補正対象項目名】０００１
【補正方法】変更
【補正の内容】
【０００１】本考案は、舗装されていない駐車場に埋設する、車間区画ライン。


【手続補正２】
【補正対象書類名】手続補正書
【補正対象項目名】手続補正２
【補正方法】変更
【補正の内容】
【手続補正２】
【補正対象書類名】明細書
【補正対象項目名】０００４
【補正方法】変更
【補正の内容】
【０００４】  そこで、棒状コンクリートに台形状のくぼみを入れることにより、土中に支えができ埋もれることがなく、内部に鉄筋を入れることで強度が増し、割れずに、丈夫で長持ちをし、上面に白塗装することで見やすくなる。


【手続補正３】
【補正対象書類名】手続補正書
【補正対象項目名】手続補正２
【補正方法】変更
【補正の内容】
【手続補正２】
【補正対象書類名】明細書
【補正対象項目名】０００６
【補正方法】変更
【補正の内容】
【０００６】  本考案にかかる棒状コンクリートに、台形状のくぼみ１入れた車間区画ライン１０は、図１に示すように、両端が土中で支えとなる足になる。そしてその内部に鉄筋２が埋め込まれて、その車間区画ライン上面には白塗装３が施されている。


【手続補正４】
【補正対象書類名】手続補正書
【補正対象項目名】手続補正２
【補正方法】変更
【補正の内容】
【手続補正２】
【補正対象書類名】明細書
【補正対象項目名】０００８
【補正方法】変更
【補正の内容】
【０００８】１                  台形状のくぼみ
２                  鉄筋
３                  白塗装
１０                車間区画ライン
長さ      １５０ｃｍ
幅            ８ｃｍ
暑さ          ５ｃｍ
(57)【要約】      （修正有）【課題】ワンタッチで開閉が出来、開いた時その場で止まり、便利に使用する事が出来るラミネートチューブスタンドの提供。  【解決手段】ラミネートチューブ取付部を一体成型とする３点式ヒンジキャップを用い、ワンタッチで開閉出来る事と同時に開いた状態で止められる、便利な交換キャップの付いたラミネートチューブスタンドになる。【選択図】図１
0003135633.tif 000002
【実用新案登録請求の範囲】
【請求項１】
ラミネートチューブスタンドのキャップを交換して使用する為めチューブ取付部を一体成型とする３点式ヒンジキャップを用いワンタッチで開閉でき、開いた状態で止められる特徴を有するラミネートチューブスタンド。
【考案の詳細な説明】
【技術分野】
【０００１】  ラミネートチューブスタンド
【背景技術】
【０００２】  ラミネートチューブスタンドという物は、ホルダーとか収納棚としては有ったのですが生活用品のアイテムにはないようです。今年６月より３件、実用新案登録を出願致して居ります。
【考案の開示】
【考案が解決しようとする課題】
【０００３】  前回は取り外しの出来る交換キャップの付いたラミネートチューブスタンドを出願し登録されたのですが、元々交換キャップの共通化を計って考えた物で、いま一つ完成度が有りません。
【課題を解決する為の手段】
【０００４】  今回はチューブ取付部と一体成型とする３点ヒンジキャップを交換キャップとし、チューブスタンドに取付けたラミネートチューブスタンドに成りました。
【考案の効果】
【０００５】  ワンタッチで開閉が出来、開いた時その場で止まり、便利に使用する事が出来る。
【０００６】  ２つの用途が重る一体成型の為高級キャップとチューブスタンドとの価値が一層上がる。
【０００７】  ３点ヒンジキャップホルダーを基礎パーツとし、色々なデザインのルームアクセサリーともなります。
【考案を実施する為の最良の形態】
【実施例】
【０００８】  チューブスタンドの実施例は整理番号００３の出願事件と同じではぶきます。
【図面の簡単な説明】
【０００９】
【図１】本考案の正面部分断面図
【図２】同側面図
【符号の説明】
【００１０】  １、    チューブスタンド
２、    チューブ取付け部  ネジ又は圧入で固定
３、    交換キャップ  ３点式ヒンジキャップ
４、    歯磨チューブ
５、    歯ブラシ置き場
【図１】
0003135633.tif 000003
【図２】
0003135633.tif 000004
【手続補正書】
【提出日】平成19年4月6日(2007.4.6)
【手続補正１】
【補正対象書類名】実用新案登録請求の範囲
【補正対象項目名】全文
【補正方法】変更
【補正の内容】
【実用新案登録請求の範囲】
【請求項１】
下向に使用する時、クリーム状溶液を下部に留め押し出し易いラミネートチューブを常に下向に取付け使用出来、蟹足状ヒンジ部を圧着し弾性を生み、触れる時自ら開き止まり、閉じ指の動くスペースの不用な３点式ヒンジキャップをチューブ取付部と一体成型とし安価な交換キャップとして使用する特徴を有するラミネートチューブスタンド。
【請求項２】
ラミネートチューブを常に下向に取付け、弾くように開閉出来る３点式ヒンジキャップを交換キャップとして使用する事を特徴とし、シェアー保護のための同数製造等製造の合理性を考えチューブ取付部にネジ止めで固定する構造を有する請求項１記載のラミネートチューブスタンド。
【手続補正書】
【提出日】平成19年7月13日(2007.7.13)
【手続補正１】
【補正対象書類名】実用新案登録請求の範囲
【補正対象項目名】全文
【補正方法】変更
【補正の内容】
【実用新案登録請求の範囲】
【請求項１】
下向に使用する時、クリーム状溶液を下部に留め押し出し易いラミネートチューブを常に下向に取付け使用出来、蟹足状ヒンジ部により弾性を生み、触れる時自ら開き止まり、閉じ指の動くスペースの不用な３点式ヒンジキャップをチューブ取付部と一体成型とし交換キャップとして使用する特徴を有するラミネートチューブスタンド。
(57)【要約】      （修正有）【課題】重失禁にも対応でき、簡便に尿廃棄のために尿袋を着脱できる着脱具の提供をする。【解決手段】開閉部を設けた睾丸を含む陰茎の付け根を囲い込む装着取り付け板と、尿袋保持具を複数のスナップ等締結具で着脱する。【選択図】図１
0003135639.tif 000002
【実用新案登録請求の範囲】
【請求項１】
開閉部を尿袋保持具を着脱するための複数スナップ等締結具を設けた睾丸を含む陰茎の付け根を囲い込む装着取り付け板の構成。
【請求項２】
尿袋保持具と陰茎貫通部とを着脱するための、複数のスナップ等締結具で装着する尿袋保持具の構成。
【請求項３】
〔請求項１〕と〔請求項２〕を接合して尚かつ、生体に接合する本考案の構成。
【考案の詳細な説明】
【考案の詳細な説明】
【技術分野】
【０００１】本考案は老人、病人等の失禁対策排尿袋の着脱に関するものである。
【背景技術】
【０００２】本目的の市販商品と先願を調べると、吸水性素材でできた失禁ショーツが一般的で、重失禁には心配がある。〔特許文献１〕【０００３】排尿袋による方法では〔特許文献２〕に見るように排尿後の袋の重量を陰茎周辺の皮膚との接着のみで支えるのに無理がある。【０００４】〔特許文献３〕では紐付きペニスサックとして、陰茎根本に紐で縛ることでサックを保持した。【０００５】〔特許文献４〕では皮膚炎を避けるために尿袋をパンツに〔特許文献５〕装着した上、太もも後部から縛ることにしている。【０００６】特許文献
【特許文献１】  特許公開２００１−５４５３１  特許公開２００１−６１８７８  特許公開２００５−１９８９００  特許公開２００６−３２８６０１  特許公表平１０−５１３０７１
【特許文献２】  特許公開平９−９４２６２
【特許文献３】  登録実用新案第３０５６９５２号
【特許文献４】  特許公開２００２−１２９４０２
【特許文献５】  特許公開２００１−２９３０２４  特許公開２００３−６１９９８  特許公開平８−２２４２６７  特許公開平１１−１７２５０２  登録実用新案第３１０９０１５号  登録実用新案第３０７０１００号  登録実用新案第３０６５２９３号  登録実用新案第３０４９６０６号
【考案が解決しようとする課題】
【０００７】重失禁にも対応でき、簡便に尿を廃棄するために尿袋を着脱できる着脱具の提供を課題とする。
【課題を解決するための手段】
【０００８】睾丸を含めた陰茎の付け根を囲い込む装着取り付け板を考案した。
【０００９】装着取り付け板は陰茎の付け根に着脱し易いように開閉部を設けた。
【００１０】更に尿袋保持具を着脱するために複数のスナップ等締結具を具備した。
【００１１】この装着取り付け板と開閉部と尿袋保持具及びスナップ、マジックテープ等締結具の一体構造を課題を解決するための手段とする。
【考案を実施するための最良の形態】
【００１２】  以下、本考案の実施の形態を図示例に基いて説明する。【００１３】  装着取り付け板（５）は、皮膚に炎症等の影響のない材質であれば金属、樹脂、人工皮革等問わない。【００１４】  睾丸通過穴（７）を皮膚に優しい緩衝材（６）で覆い、実施例では柔らかいウレタンゴムを使用した。【００１５】装着時〔図２〕の融通性を確保するため、リング状の装着取り付け板（５）の開閉部（１２）の対辺を切断し、重ね合せてハトメ（１０）で締結して、Ｕ字型角度が自由になるように構成した。【００１６】開閉部（１２）はリング状の装着取り付け板（５）の一部を〔００１４〕と同様に開閉できる構造にして、睾丸（９）を含む陰茎の付け根を囲い込むように装着し易いように工夫を施した。【００１７】本考案の排尿袋（１）と着脱具〔図１〕（本考案の全体を指す）を装着使用時、〔図２〕尿の貯まった排尿袋の重量や体の動き等で開閉部（１２）が不意に外れることのないように、実施例ではロック機構（１１）をも具備した。【００１８】  試作例では複数のスナップ（４）の凸側を取り付け板（５）に、凹側を尿袋保持具（３）に（逆でも良い）接着又はＳＰＯＴ溶接等で固定した。【００１９】  失禁後、スナップ等締結具（４）を使用して尿袋保持具（３）を離脱して、尿を廃棄後、再装着するのである。【００２０】  尿を廃棄する時、尿袋保持具（３）が汚れるのを嫌う場合は、排尿袋（１）の先端を開閉すれば良いが、本考案の範囲外である。【００２１】  ロック機構について〔図５〕の拡大説明図（１１）は閉じた状態のロックを外した様子で補足すれば、（５）の装着取り付け板と、（１２）の開閉部双方に切り欠（１３）を設けてロックレバー（１５）を押し下げるとロック爪（１４）が切り欠（１３）にはまり、ロックするのである。
【考案の効果】
かかる考案で、不意の失禁に怯えることなく快適な日常生活を送ることができる効果に、大なるものがあることを確認した。
【図面の簡単な説明】
【図１】  全体款合状態斜視図
【図２】  装着使用状態表示図
【図３】  装着取り付け板（閉じた状態）
【図４】  装着取り付け板（開いた状態）
【図５】  ロック部（１１）拡大説明図
【符号の説明】
１，  排尿袋
２，  ペニス尿袋筒部保持筒
３，  尿袋保持具
４，  スナップ等締結具
５，  装着取り付け板
６，  緩衝材
７，  睾丸通過穴
８，  ペニス
９，  睾丸
１０，  ハトメ
１１，  ロック機構
１２，  開閉部
１３，  切り欠
１４，  ロック爪
１５，  ロックレバー
【図１】
0003135639.tif 000003
【図２】
0003135639.tif 000004
【図３】
0003135639.tif 000005
【図４】
0003135639.tif 000006
【図５】
0003135639.tif 000007
(57)【要約】      （修正有）【課題】テレビ受像器に動画情報の必要な部分を静止画として保存し、この静止画を確認することにより必要情報を活用する。【解決手段】テレビ受像器のＣＲＴに送られている電子信号を、必要なときに内蔵されている保存用メディアに保存し、後ほど必要なときに呼び出して活用するものであり、こうした動画による情報の活用に役立つ。【選択図】図１
0003135631.tif 000002
【実用新案登録請求の範囲】
【請求項１】
テレビなどの動画映像の一部を静止画として保存するシステム
【考案の詳細な説明】
【技術分野】
【０００１】  本考案は、テレビなどの動画を表示する装置に、動画の必要な場面を静止画として保存するシステムに関するものである。
【背景技術】
【０００２】  一般的にテレビで主にニュースなどを視聴する場合、インターネットアドレスや記録を要する情報を記憶して記録するのは困難であり、情報としての活用が図られていない。
【考案の開示】
【考案が解決しようとする課題】
【０００３】  テレビ等に表示される例えばインターネットアドレスなどの動画映像を記録するには、ＶＴＲ等により保存し、確認する方法をとっている。また、ＶＴＲにかかる経費や労力、時間など、多くの無駄を要する。加えて、その情報を予め予測するのは極めて困難であり、多くの場合、情報を活用できないという問題がある。
【課題を解決するための手段】
【０００４】  本考案は、ＣＲＴに送られている動画映像の信号を、テレビ付属のリモコンの操作により、一時的に、瞬時に、内蔵の記録用メディアに静止画として保存することにより問題点を解決している。
【考案の効果】
【０００５】  上記のように、保存した例えばインターネットアドレスの情報を静止画として呼び出し、必要な情報を確認でき、活用するのに役立つ。
【考案を実施するための最良の形態】
【０００６】  一般家庭の受像器にこのシステムを搭載する。形態は、動画映像をＣＲＴに映し出している信号について、常にメディアに保存できる状態を維持し、リモコンの操作により瞬時に静止画として保存する。この静止画は、消去するまで必要なときに、リモコンの操作により確認できる機能を付与する。
【実施例】
【０００７】  なし。
【産業上の利用可能性】
【０００８】  品質管理において、正常な画像に対する異常な撮影画像で不良品の判別などが可能である。
【図面の簡単な説明】
【０００９】  図面なし。
0003135631.tif 000003
【手続補正書】
【提出日】平成19年4月3日(2007.4.3)
【手続補正１】
【補正対象書類名】実用新案登録請求の範囲
【補正対象項目名】全文
【補正方法】変更
【補正の内容】
【実用新案登録請求の範囲】
【請求項１】
テレビなどの動画を連続して映し出す装置に、動画の一部を静止画として保存し、この静止画を操作によりＣＲＴに映し出すシステムとする。また、生産管理等における本システムの応用を含む。
【手続補正２】
【補正対象書類名】明細書
【補正対象項目名】０００９
【補正方法】変更
【補正の内容】
【０００９】
【図１】  テレビの場合は、アンテナで受信した信号を映像検波回路から送られた信号をもとに、静止画として映像の一部を保存再生できる保存装置を受像器にもうける。保存装置には、動画の一部を保存できるメディアを内蔵し、必要なときにリモコンの操作により一時映像として静止画を作成、自動保存できる装置とする。また保存されている静止画の再生は、リモコンの操作により入力を切り替えた後、リモコンで保存装置に保存されている静止画（チャンネル番号と日時で識別できる番号の付与）をＣＲＴに映す。このシステムは、保存されているひな形の静止画と受信した類似品の映像との相違を識別することによる生産管理などにも応用できる。
【手続補正３】
【補正対象書類名】図面
【補正対象項目名】全図
【補正方法】変更
【補正の内容】
【図１】
0003135631.tif 000004
【手続補正書】
【提出日】平成19年6月13日(2007.6.13)
【手続補正１】
【補正対象書類名】実用新案登録請求の範囲
【補正対象項目名】全文
【補正方法】変更
【補正の内容】
【実用新案登録請求の範囲】
【請求項１】
テレビなどの動画を連続して映し出す装置に、動画の一部を静止画として保存し、この静止画を操作によりＣＲＴに映し出すシステム。